(57)【要約】【課題】  二輪車二人乗り用の安全ベルトであって、運転者と同乗者との体格差その他が存在しても、同乗者を安全に保護できるものの提供。【解決手段】  運転者の第１背当て部材(a1)に、上下方向に離間して複数の胴ベルト取付部（a10, a11，a12）を設け、それらの一つを選択して、そこに同乗者の第２胴ベルト（b2）の前側を着脱自在に取付け、  その第１背当て部材(a1)に、上下方向に離間して複数の肩ベルト取付部（a6，a7，a8，  a9）を設け、それらの一つを選択して、そこに一対の第２肩ベルト（b3，b4）の前側を着脱自在に取付る。【選択図】        図１
2011020493.tif 000002
【特許請求の範囲】
【請求項１】
二輪車の運転者と同乗者の各上半身間を連結し、同乗者の乗車姿勢の安定性を保ち、二輪車からの同乗者の脱落防止を図る安全ベルトであって、
運転者の背中に装着される平板状の第１背当て部材(a1)と、
その第１背当て部材(a1)の下部に接続されて、運転者の胴部回りに装着される第１胴ベルト（a2，a3）と、
その第１背当て部材(a1)の上部に接続されて、運転者の肩部回りに装着される一対の第１肩ベルト（a4，a5）と、
同乗者の胴部回りに装着される第２胴ベルト（b2）と、
同乗者の肩部回りに装着される一対の第２肩ベルト（b3，b4）と、
前記第１背当て部材(a1)に上下方向に離間して設けられ、第２胴ベルト（b2）の前側が着脱自在に取付られる複数の胴ベルト取付部（a10, a11，a12）と、
前記第１背当て部材(a1)に上下方向に離間して設けられ、一対の第２肩ベルト（b3，b4）の前側が着脱自在に取付られる複数の肩ベルト取付部（a6，a7，a8，a9）と、を具備し、
複数の前記胴ベルト取付部（a10, a11，a12）と、複数の前記肩ベルト取付部（a6，a7，a8，a9）との中から、同乗者の第２胴ベルト（b2）および第２肩ベルト（b3，b4）の取付位置を任意に選択できるようにしたことを特徴とする二輪車二人乗り用の安全ベルト。
【請求項２】
請求項１において、
同乗者の背中に装着される平板状の第２背当て部材（b1）を有し、その第２背当て部材（b1）の下部に前記第２胴ベルト（b2）が接続され、その第２背当て部材（b1）の上部に一対の前記第２肩ベルト（b3，b4）が接続された二輪車二人乗り用の安全ベルト。
【請求項３】
請求項１または請求項２において、
一対の前記第１肩ベルト（a4，a5）の各一端部側が延長されて、それが前記第１背当て部材(a1)の背面に上下方向に且つ、互いに平行に固定されて、一対の背当てベルト部(20)を構成し、
前記胴ベルト取付部（a10, a11，a12）は、各背当てベルト部(20)にその幅方向に貫通し、上下に離間して複数取付られたものからなり、
前記肩ベルト取付部（a6，a7，a8，a9）は、各背当てベルト部(20)にその上下方向に貫通し、上下に離間して複数取付られたものからなる二輪車二人乗り用の安全ベルト。
【請求項４】
請求項３において、
前記背当てベルト部(20)は、それぞれ一対のベルト材を重ねて上下に離間して複数、幅方向に縫着したものからなり、
前記肩ベルト取付部（a6，a7，a8，a9）は、一対のベルト材の幅方向の縫着部が上下に近接して離間した間の環状部に、その一端が幅方向に挿通固定された角カンからなり、
胴ベルト取付部（a10, a11，a12）は、隣り合う各肩ベルト取付部（a6，a7，a8，a9）間に位置し、一対のベルト材の幅方向の縫着部が上下に離間した間の部分に環状に形成されてなる二輪車二人乗り用の安全ベルト。
【請求項５】
請求項１〜請求項４のいずれかにおいて、
前記各胴ベルトおよび肩ベルトはその長さがベルトアジャスターを介して伸縮自在に調整でき、
各胴ベルトはベルトバックルを介して係脱自在に構成した二輪車二人乗り用の安全ベルト。
【請求項６】
二輪車の運転者と同乗者の各上半身間を連結し、同乗者の乗車姿勢の安定性を保ち、二輪車からの同乗者の脱落防止を図る安全ベルトであって、
運転者の背中に装着される平板状の第１背当て部材(a1)と、
その第１背当て部材(a1)の下部に接続されて、運転者の胴部回りに装着される第１胴ベルト（a2，a3）と、
その第１背当て部材(a1)の上部に接続されて、運転者の肩部回りに装着される一対の第１肩ベルト（a4，a5）と、
同乗者の背中に装着される平板状の第２背当て部材（b1）と、
その第２背当て部材（b1）の下部に接続されて、同乗者の胴部回りに装着される第２胴ベルト（b2）と、
その第２背当て部材（b1）の上部に接続されて、同乗者の肩部回りに装着される一対の第２肩ベルト（b3，b4）と、
前記第１背当て部材(a1)に設けられ、第２胴ベルト（b2）の前側が取付られる胴ベルト取付部と、
前記第１背当て部材(a1)に設けられ、一対の第２肩ベルト（b3，b4）の前側が取付られる肩ベルト取付部と、を具備し、その肩ベルト取付部の位置が胴ベルト取付部の位置より上方にある二輪車二人乗り用の安全ベルト。
【発明の詳細な説明】
【技術分野】
【０００１】
本発明は、二輪車二人乗り用の安全ベルトに関するものである。
【背景技術】
【０００２】
従来、二輪車の後部座席に同乗者が乗る場合、同乗者は運転者の体に両腕を巻き付けたり、運転席と後部座席との間に設けられた把持ベルトや後部座席の横又は後方に設けられた把持グリップ等の装置を把持して乗車することにより、発進時やカーブ走行時の乗車姿勢の安定性を保ち、二輪車からの同乗者の脱落を防いでいた。また、下記特許文献１に記載された二輪車二人乗り用のグリップ付きベルトの発明のように、運転者がベルト状の装置を胴体に装着し、そのベルトの両端に設けられた把持グリップを同乗者が把持する事で乗車姿勢の安定性を保ち二輪車からの同乗者の脱落を防ぐものもあった。
【０００３】
しかしながら、これらの把持ベルトや把持グリップ等の装置は、同乗者の握力によって乗車姿勢の安定性を保とうとするものであり、握力の弱い女性や子供にとって、把持ベルトや把持グリップで長時間上体を支え切ることは困難であった。また、後部座席での居眠りや、把持ベルトや把持グリップから手が離れている状態での二輪車からの同乗者の脱落防止の機能性は全く確保されておらず、安全上十分とは言えないのが現状であった。
【０００４】
二輪車の後部座席に乗車する同乗者の握力のみに依存せず、同乗者の乗車姿勢の安定を保つ脱落防止装置として、下記特許文献２に記載された発明がある。この発明は、二重構造になった腰ベルトによって運転者と同乗者を連結し、同乗者の乗車姿勢の安定性を保つ構造であった。しかし、同乗者の腰から上の乗車姿勢の安定性は、把持ベルトや把持グリップ等を把持することで補う必要があった。そのため、実際に同乗者が居眠り等で握力による把持ベルトや把持グリップ等への把持を怠った際に、腰から上の乗車姿勢の安定性を保つ構造が無く、同乗者の体が大きく後方にのけぞったり左右に傾いたりすることを回避できず、安全上十分とは言えなかった。
【０００５】
二輪車の後部座席に乗車する同乗者の腰部のみではなく、上半身全体の乗車姿勢の安定を保ちながら同乗者の二輪車からの脱落を防ぐ二輪車二人乗り用の安全ベルト装置として、下記特許文献３に記載された方式に代表された発明がある。この発明は、運転者と同乗者の腰部を束ね合わせるように固定する一本の腰ベルトと、束ね合わさった運転者と同乗者のそれぞれの肩を固定する一対の肩ベルトから構成されている。この発明によれば、同乗者の腰から上の乗車姿勢の安定性を同乗者の握力のみに依存せずに保持することが可能であり、同乗者の二輪車からの脱落を防ぐことができるとしている。
【０００６】
しかしながら、この発明の場合、運転者と同乗者の体格差が大きく、且つ運転者用着座位置と同乗者用着座位置が同じ高さであった時、図１８のように、同乗者の肩に装置の確実な装着が出来ず、走行時の横揺れで装置から同乗者の上半身が脱落する可能性があり安全とは言えなかった。さらに、この発明の場合、運転者と同乗者の体格差が同等または、同乗者の体格が運転者より大きく、且つ運転者用着座位置よりも同乗者用着座位置の方が高い位置にあった時、図１９のように、肩ベルトが運転者の首に干渉し、安全な運転を阻害する可能性があり安全とは言えなかった。
【先行技術文献】
【特許文献】
【０００７】
【特許文献１】実開昭６３−１１２６１号公報
【特許文献２】特開２００６−８０３０号公報
【特許文献３】実用新案登録第３１１９８９４号公報
【発明の概要】
【発明が解決しようとする課題】
【０００８】
上記の背景技術に述べた従来の二輪車二人乗り用の安全ベルト装置は、運転者と同乗者の体格差や、運転者用着座位置と同乗者用着座位置の高低差への対応を満たしながら、且つ同乗者の握力のみに依存せずに、同乗者の上半身の乗車姿勢の安定性確保による二輪車からの同乗者の脱落防止を解決したものではない。
【０００９】
例えば、下記特許文献３の二輪車二人乗り用の安全ベルト装置では、運転者の身長が高く、同乗者が身長の低い幼児や子供といった組み合わせであって、運転者用着座位置と同乗者用着座位置の高低差が同程度の場合（図１８）は、安全ベルト装置からの同乗者の上半身の脱落の可能性が高くなり、運転者の身長が低く同乗者の身長が高いといった組み合わせであって、運転者用着座位置が同乗者用着座位置よりも低い場合（図１９）は、安全ベルト装置が運転者の首や側頭部にかかってしまい、同乗者の動きが運転を阻害してしまうという大きな課題があった。
【００１０】
本発明では、このような従来の二輪車二人乗り用の安全ベルト装置が有していた前記の課題を解決しようとするものである。すなわち、従来技術が既に解決している同乗者の握力への依存をせずに、同乗者の上半身の乗車姿勢の安定性を確保するという要件を満たしながら、従来技術では満たされていなかった運転者と同乗者の体格差や二輪車の運転者用着座位置と同乗者用着座位置の高低差による前記の課題を解決し、乗員の体格差や二輪車の運転者用着座位置と同乗者用着座位置の高低差に影響されずに、同乗者の二輪車からの脱落防止を図り、万人が安全に利用できる二輪車二人乗り用の安全ベルトを実現することを目的としている。
【課題を解決するための手段】
【００１１】
そこで、上記目的を達成するための、
第１の本発明は、二輪車の運転者と同乗者の各上半身間を連結し、同乗者の乗車姿勢の  安定性を保ち、二輪車からの同乗者の脱落防止を図る安全ベルトであって、
運転者の背中に装着される平板状の第１背当て部材(a1)と、
その第１背当て部材(a1)の下部に接続されて、運転者の胴部回りに装着される第１胴ベルト（a2，a3）と、
その第１背当て部材(a1)の上部に接続されて、運転者の肩部回りに装着される一対の第１肩ベルト（a4，a5）と、
同乗者の胴部回りに装着される第２胴ベルト（b2）と、
同乗者の肩部回りに装着される一対の第２肩ベルト（b3，b4）と、
前記第１背当て部材(a1)に上下方向に離間して設けられ、第２胴ベルト（b2）の前側が着脱自在に取付られる複数の胴ベルト取付部（a10, a11，a12）と、
前記第１背当て部材(a1)に上下方向に離間して設けられ、一対の第２肩ベルト（b3，b4）の前側が着脱自在に取付られる複数の肩ベルト取付部（a6，a7，a8, a9）と、を具備し、
複数の前記胴ベルト取付部（a10, a11，a12）と、複数の前記肩ベルト取付部（a6，a7，a8, a9）との中から、同乗者の第２胴ベルト（b2）および第２肩ベルト（b3，b4）の取付位置を任意に選択できるようにしたことを特徴とする二輪車二人乗り用の安全ベルトである（請求項１）。
【００１２】
上記構成において、同乗者の背中に装着される平板状の第２背当て部材（b1）を設け、その第２背当て部材（b1）の下部に前記第２胴ベルト（b2）を接続し、その第２背当て部材（b1）の上部に一対の前記第２肩ベルト（b3、b4）を接続することができる（請求項２）。
【００１３】
さらに、上記構成において、一対の前記第１肩ベルト（a4，a5）の各一端部側を延長して、それが前記第１背当て部材(a1)の背面に上下方向に且つ、互いに平行に固定して、一対の背当てベルト部(20)を構成し、
前記胴ベルト取付部（a10, a11，a12）を、各背当てベルト部(20)にその幅方向に貫通し、上下に離間して複数取付たものとし、
前記肩ベルト取付部（a6，a7，a8, a9）を、各背当てベルト部(20)にその上下方向に貫通し、上下に離間して複数取付けたものとすることができる（請求項３）。
【００１４】
また、上記構成において、前記背当てベルト部(20)を、それぞれ一対のベルト材を重ねて上下に離間して複数、幅方向に縫着したものとし、
前記肩ベルト取付部（a6，a7，a8，a9）を、一対のベルト材の幅方向の縫着部が上下に近接して離間した間の環状部に、角カンの一端を幅方向に挿通固定したものとし、
胴ベルト取付部（a10, a11，a12）を、隣り合う各肩ベルト取付部（a6，a7，a8，a9）間に位置し、一対のベルト材の幅方向の縫着部を上下に離間した間の部分に環状に形成することができる（請求項４）。
【００１５】
さらには、前記各胴ベルトおよび肩ベルトの長さを、ベルトアジャスターを介して伸縮自在に調整でき、
各胴ベルトを、ベルトバックルを介して係脱自在に構成することがきる（請求項５）。
【００１６】
また、第２の本発明は、二輪車の運転者と同乗者の各上半身間を連結し、同乗者の乗車姿勢の安定性を保ち、二輪車からの同乗者の脱落防止を図る安全ベルトであって、
運転者の背中に装着される平板状の第１背当て部材(a1)と、
その第１背当て部材(a1)の下部に接続されて、運転者の胴部回りに装着される第１胴ベルト（a2，a3）と、
その第１背当て部材(a1)の上部に接続されて、運転者の肩部回りに装着される一対の第１肩ベルト（a4，a5）と、
同乗者の背中に装着される平板状の第２背当て部材（b1）と、
その第２背当て部材（b1）の下部に接続されて、同乗者の胴部回りに装着される第２胴ベルト（b2）と、
その第２背当て部材（b1）の上部に接続されて、同乗者の肩部回りに装着される一対の第２肩ベルト（b3，b4）と、
前記第１背当て部材(a1)に設けられ、第２胴ベルト（b2）の前側が取付られる胴ベルト取付部と、
前記第１背当て部材(a1)に設けられ、一対の第２肩ベルト（b3，b4）の前側が取付られる肩ベルト取付部と、を具備し、その肩ベルト取付部の位置が胴ベルト取付部の位置より上方にある二輪車二人乗り用の安全ベルトである。
【発明の効果】
【００１７】
第１の本発明は、運転者の背中に装着される第１背当て部材(a1)に、上下に離間して複数の胴ベルト取付部及び複数の肩ベルト取付部を有し、それら複数の各取付部の中から任意に選択して、同乗者の第２胴ベルト及び第２肩ベルトを取り付けることができるので、運転者と同乗者の体格差があったり、二輪車の運転者用着座位置と同乗者用着座位置の高低差が存在しても、それらに影響されることなく、同乗者の乗車姿勢の安定性を保ち、同乗者の脱落を防ぐ安全な二輪車の二人乗り用の安全ベルト提供できる。
特に、胴ベルト取付部及び肩ベルト取付部は、運転者の背中に装着される安定した平板状の第１背当て部材に設けられるので、同乗者と運転者とが一体化されて、同乗者の安定性がよく、脱落防止の効果を確保し得る。
【００１８】
上記構成において、請求項２に記載のように、同乗者の背中にも平板状の第２背当て部材を設けた場合には、さらに同乗者の姿勢の安定性に寄与できる。
また、請求項３に記載のように運転者の一対の第１肩ベルトの一方側を延長して、それを運転者の第１背当て部材の背面に上下方向に固定し、それに胴ベルト取付部，肩ベルト取付部を夫々設けた場合には、各取付部に充分なる強度を持たせ、より安全性を確保し得る。
【００１９】
上記構成において、請求項４に記載のように、背当てベルト部(20)を二重のベルト材で形成し、部分的に縫着して肩ベルト取付部，胴ベルト取付部を環状に形成した場合には、構造が簡単でより安全なベルトを提供できる。
上記構成において、請求項５に記載のように、各胴ベルトおよび肩ベルトに長さ調整用のベルトアジャスターを設け且つ、胴ベルトがベルトバックルを介して係脱自在に構成された場合には、ベルト長さの調整が容易であると共に、その着脱が容易な取扱性の良い安全ベルトとなり得る。
【００２０】
次に、第２の本発明は、運転者の背中に安定して取付けられる、平板状の第１背当て部材と、同乗者の背中に同様に安定して取付けられる平板状の第２背当て部材とが、第２胴ベルトと一対の第２肩ベルトとで接続されるため、同乗者の姿勢を安定に保つことができる。
【図面の簡単な説明】
【００２１】
【図１】本発明の二輪車二人乗り用安全ベルトを装着し、二輪車に乗車した同乗図および、その第１実施例の安全ベルトの斜視図。
【図２】同安全ベルトの装着の第１の手順と構成の詳細説明図。
【図３】同安全ベルトの装着の第２の手順と構成の詳細説明図。
【図４】同安全ベルトの装着の第３の手順と構成の詳細説明図。
【図５】同安全ベルトの装着の第４の手順と構成の詳細説明図。
【図６】同安全ベルトの装着の第５の手順と構成の詳細説明図。
【図７】同安全ベルトの第１の連結位置可変の説明図。
【図８】同安全ベルトの第２の連結位置可変の説明図。
【図９】同安全ベルトの第３の連結位置可変の説明。
【図１０】同安全ベルトの第４の連結位置可変の説明図。
【図１１】同安全ベルトの第５の連結位置可変の説明図。
【図１２】本発明の第２実施例の安全ベルトの斜視図。
【図１３】本発明の第３実施例の安全ベルトの斜視図。
【図１４】本発明の第４実施例の安全ベルトの斜視図。
【図１５】本発明の第５実施例の安全ベルトの斜視図。
【図１６】本発明の第６実施例の安全ベルトの斜視図。
【図１７】本発明の第７実施例の安全ベルトの斜視図。
【図１８】特許文献３に代表される従来型安全ベルトの第１の問題点の説明図。
【図１９】特許文献３に代表される従来型安全ベルトの第２の問題点の説明図。
【発明を実施するための形態】
【００２２】
以下、本発明の実施の形態を図面に基づいて説明する。
【実施例】
【００２３】
はじめに、本発明の実施の形態の全体概要を図１に基づいて説明する。
図１は、二輪車に乗車し本発明の安全ベルトを装着した状態の図と、本発明の安全ベルトを斜視した図であり、本発明が運転者装着用部品（Ａ）と同乗者装着用部品（Ｂ）の２つの構成部品の組み合わせで成り立っていることを示す。そして、その運転者装着用部品（Ａ）と同乗者装着用部品（Ｂ）の２つの構成部品を、あらかじめ連結させて使用することを表現している。
【００２４】
図１の斜視図には、運転者装着用部品（Ａ）の基本母材となる平板状の第１背当て部材(a1)を有する。この第１背当て部材(a1)は、一例として複数枚の布材を縫着した可撓性を有するものからなり、その平面形状は運転者の背中を略被うと共に、その下部は運転者の脇の一部を被うように、下部が広がっている。なお、この第１背当て部材の材質を皮材または樹脂材とすることもできる。さらには、厚手の布材を使用してもよい。
第１背当て部材(a1)下部両側には、一対の第１胴ベルト（a2，a3）の端部が縫着されている。それらのベルトの他端には、第１胴ベルトバックル（a13，a14）及び第１胴ベルトアジャスター（a15）が着脱自在に取付けられている。これらのベルトはリックサック等に広く使用されている丈夫な厚手の布製帯材が使用できる。また、アシャスター，バックルは、同様にリックサック等に広く使用されている樹脂材等のものを使用することができる。
【００２５】
また、第１背当て部材（a1）には、その中心線を挟んで両側に互いに平行に第１肩ベルト（a4，a5）が延長して延ばされ、その幅方向の両縁が夫々第１背当て部材（a1）に縫着されている。
なお、この例では背当てベルト部（20）は第１肩ベルト（a4，a5）に重ねられて、それより僅かに幅の小なる布製ベルトが部分的に縫着されている。即ち、上下に近接して一対づつの幅方向への縫着部（21）が設けられ、それがこの例では第１背当て部材（a1）の上端から四箇所存在すると共に、その最下端も幅方向に縫着されている。そして近接した一対の縫着部（21）間に幅の狭い貫通部が横方向に形成され、そこに角カンからなる肩ベルト取付部（a6〜a9）が止着されている。この角カンは平面矩形状に形成された樹脂製または、金属製のリングからなる。
【００２６】
そして、隣接する角カン間に幅方向に貫通する環状の胴ベルト取付部（a10〜a12）が配置される。さらに、第１肩ベルト（a4，a5）の他方端が第１背当て部材（a1）の下部両側に縫着されている。そして、各ベルトの互い結合される一方側と他方側とには、バックルの係合部と係止部とが着脱自在に取付けられている。なお、第１肩ベルト（a4，a5）の中間部には補助ベルト（22）が幅方向に突設され、その先端に第１肩ベルト補助バックル（a16，a17）が設けられている。なお、本発明の安全ベルトは上記実施例および後述の実施例に限定されるものでは勿論ない。
【００２７】
次に、同乗者装着用部品（Ｂ）には、基本母体となる平板状の第２背当て部材（b1）を有する。この例では、同乗者用の第２背当て部材（b1）は第１背当て部材（a1）に比べて大きさが小さくなっている。なお、これを同一大きさとすることも可能である。また材質等は第１背当て部材（a1）と同一とすることができる。
また、同乗者装着用部品（Ｂ）の大きさを各種揃え、それらの適宜なものを組み合わせて本発明の安全ベルトを形成することもできる。
この第２背当て部材（b1）の下部両側には第２胴ベルト（b2）の端部が縫着され、その先端にバックル及び第２胴ベルトアジャスター（b7，b8，b9）が取付けられている。
【００２８】
（変形例）
上記実施例では、第１背当て部材（a1）に背当てベルト部(20)を設け、そこに肩ベルト取付部、胴ベルト取付部を設けたが、それに替えて図１２に示すごとく、第１背当て部材（a1）の裏面側にそれぞれ短ベルト材（肉厚の布材等）からなる肩ベルト取付部(a6)〜(a9)を水平に、胴ベルト取付部(a10〜a12)を垂直に配置して、それぞれの短ベルト材の両端を縫着により設けてもよい。
さらには、前記各実施例では、第１背当て部材（a1）に二列に背当てベルト部（20）を設け、夫々に胴ベルト取付部及び、肩ベルト取付部を設けたが、それに変えて図１３に示すように、一列にそれらを設けることも可能である。その場合、その肩ベルト取付部に一対の第２肩ベルトが先端部で一緒に結合される。  
【００２９】
また図１４のごとく、背当てベルト部(20)に多段に、角カンからなる肩ベルト取付部(a6〜a9)を設け、その側方に短いベルト材の縫着体を介して、角カンからなる胴ベルト取付部(a10〜a12)を配置してもよい。さらには、図１５に示すごとく、図１３と図１４とを組合わせた構造とすることもできる。
【００３０】
次に、図１６はさらに他の例を示し、この例は肩ベルト取付部(a6〜a9)が縫着された短いベルトと着脱自在なバックルとで構成されたものである。すなわち、バックルの係止部を一例として、第１背当て部材（a1）側に取り付け、その係合部材を第２肩ベルト（b3、b4）の先端に取付け、両者を着脱自在に係止させるものである。同様に胴ベルト取付部(a10〜a12)もバックルで構成されている。
【００３１】
次に図１７は、この図１６の構造と図１５の構造とを組合わせたものである。
さらには、前記各実施例では第２肩ベルト，第２胴ベルトの各取付部が多段に形成されたものから適宜のものを選択したが、第２の本発明はそれら取付部を一つのみとするものである。
【００３２】
（作用）
次に、本発明の安全ベルトの使用方法について述べる。  
第１背当て部材（a1）の後面に上下に沿って多段に設けられた角カン（a6、a7、a8、a9）のいずれかに（図１ではa8）、同乗者装着用部品（Ｂ）の基本母材となる第２背当て部材（b1）に接続した第２肩ベルト（b3、b4）の前端をあらかじめ連結する。同時に、第１背当て部材(a1)の後面に上下に沿って多段に設けられた胴ベルト取付部（a10、a11、a12）のいずれかに（図１ではa12）、第２背当て部材（b1）に接続した第２胴ベルト（b2）をあらかじめ連結する。
【００３３】
以下に、本発明の実施形態の構成の詳細を、二輪車の運転者と同乗者に装着する手順の流れに沿いながら、図２〜図６を用いて説明する。
そして、本発明の安全ベルトが、運転者と同乗者の体格差や二輪車の運転者用着座位置と同乗者用着座位置の高低差に合わせた、運転者装着部品（Ａ）と同乗者装着部品（Ｂ）の連結位置の変更を可能とする実施形態の特徴を、図７、図８、図９を用いて説明する。
【００３４】
はじめに、運転者装着用部品（Ａ）と同乗者装着用部品（Ｂ）の２つの構成部品を、あらかじめ運転者と同乗者の体格差や二輪車の運転者用着座位置と同乗者用着座位置の高低差に合わせて（以下体格差等に合わせて、と省略する）、その連結位置を任意に選択し、連結させるための準備の手順を記載し、次にそれらを運転者と同乗者のそれぞれの体格等に合わせて調整し、連結させるための手順と、その安全ベルトを装着し、二輪車に乗車するまでの手順を記載する。
【００３５】
先ず、図２のように、第２背当て部材（b1）に接続した第２肩ベルト（b3、b4）の前端を、第１背当て部材(a1)の後面に上下に沿って多段に設けられた角カン（a6、a7、a8、a9）のいずれかに、体格差等に合わせて、選択して、そこに通す。
図２では、第２肩ベルト（b3、b4）の前端を上から２番目の角カン（a7）に通しているが、体格差等に合わせて、第２肩ベルト（b3、b4）の前端を通す位置を、多段に設けられた角カン（a6、a7、a8、a9）のいずれかから選択できる構造となっており、例えば運転者用着座位置と同乗者着座位置の高低差がほぼ同等の場合で、同乗者が運転者と同程度の身長であった際には、図９のように一番上の角カン（a6）を選択することで、適切な本発明の安全ベルトの装着ができる。
【００３６】
次に、図３のように、第２背当て部材（b1）に接続した第２胴ベルト（b2）の前端を、第１背当て部材(a1)の後面に上下に沿って多段に設けられた各胴ベルト取付部（a10、a11、a12）のいずれかに、体格差等に合わせて選択して、そこにそれを通す。
図３では、第２胴ベルト（b2）の前端を下から２番目の胴ベルト取付部（a11）に通しているが、体格差等に合わせて、第２胴ベルト（b2）の前端を通す位置を多段に設けられた各胴ベルト取付部（a10、a11、a12）のいずれかから選択できる構造となっており、例えば運転者用着座位置と同乗者着座位置の高低差がほぼ同等の場合で、同乗者が運転者と同程度の身長であった際には、図９のように２番目の胴ベルト取付部（a11）を選択することで適切な本発明の安全ベルトの装着ができる。
【００３７】
上記の手順で、体格差等に合わせた連結位置の選択と連結の準備が完了した後、以下に記載する手順で、本発明の安全ベルトを運転者と同乗者のそれぞれの体格に合わせて調整し、連結させることで、本発明の安全ベルトの装着が完了する。
図２の要領で角カン（a6、a7、a8、a9）のいずれかに通した第２肩ベルト（b3、b4）の前端を、図４のように第２肩ベルトアジャスター（b5、b6）に通し、第２肩ベルト（b3、b4）の長さを同乗者の体格に合わせて調節しながら、第１背当て部材(a1)と連結する。
【００３８】
さらに、図３の要領で、第１背当て部材(a1)に設けられた胴ベルト取付部（a10、a11、a12）のいずれかに通した第２胴ベルト（b2）の前端の第２胴ベルトバックル（係合部材）（b7）を、第２背当て部材（b1）に接続した第２胴ベルトバックル（係止部材）（b8）に図５のように連結する。この第２胴ベルトバックルの（b7）と（b8）を連結する際に、第２胴ベルトアジャスター（b9）を使って第２胴ベルト（b2）の長さを同乗者の体格に合わせてあらかじめ調整する。
【００３９】
次に、第１背当て部材(a1)に接続した第１肩ベルト（a4、a5）の中程にそれぞれ設けられた第１肩ベルトアジャスター（a18）を使って、第１肩ベルト（a4、a5）の長さを運転者の体格に合わせて調整する。
次に、第１背当て部材(a1)に接続した第１胴ベルト（a2、a3）の長さを、第１胴ベルトアジャスター（a15）を使って運転者の体格に合わせて調整し、第１胴ベルト（a2、a3）の前端に取付けられた運転者側の第１胴ベルトバックル（a13、a14）を用いて連結する。
【００４０】
更に、第１背当て部材(a1)に接続した第１肩ベルト（a4、a5）の中程にそれぞれ設けられた補助ベルト２２の先端の第１肩ベルト補助バックル（a16、a17）を連結する。それにより、第１肩ベルト（a4、a5）が同乗者の挙動によってズレ動くことを抑えることができる。
【００４１】
以下に、図６を基に本発明を装着し二輪車に乗車するまでの手順を記載する。
はじめに、本発明の同乗者装着用部品（Ｂ）を図６の左上の図ように運転者装着用部品（Ａ）に連結された状態で同乗者に装着する。
同乗者装着用部品（Ｂ）の同乗者への装着は、あらかじめ同乗者の体格に合わせて調整された一対の第２肩ベルト（b3、b4）の間に同乗者の頭部をくぐらせる。
同乗者装着用部品（Ｂ）を図６のように運転者装着用部品（Ａ）に連結させた状態で装着した同乗者は、運転者が二輪車の運転者用着座位置に乗車を完了した後で、同乗者用着座位置に乗車する。
【００４２】
運転者は、乗車した同乗者が装着した同乗者装着用部品（Ｂ）に連結された運転者装着用部品（Ａ）の第１背当て部材(a1)に接続され、あらかじめ運転者の体格に合わせて調整された一対の第１肩ベルト（a4、a5）に、図６の右上の図のように運転者の両腕を、リュックサックを背負うように通す。そして、第１背当て部材(a1)に接続され、あらかじめ運転者の体格に合わせて調整された第１胴ベルト（a2、a3）の運転者側の第１胴ベルトバックル（a13、a14）を連結する。さらに、あらかじめ運転者の体格に合わせて調整された第１肩ベルト補助バックル（a16、a17）を連結し、本発明の安全ベルトの装着が完了する。
【００４３】
次に、本発明の安全ベルトを、運転者装着部品（Ａ）と同乗者装着部品（Ｂ）の連結位置の変更を可能とする実施形態の特徴を、図７、図８、図９、図１０、図１１、に記載された、体格差等に合わせた例を用いて説明する。
図７は、二輪車の運転者用着座位置と同乗者用着座位置の高さが同等であり、運転者が成人男性で、同乗者が幼児の場合を示した例であり、第２肩ベルト（b3、b4）は第１背当て部材(a1)に設けられた３番目の角カン（a8）に連結し、第２胴ベルト（b2）は第１背当て部材(a1)に設けられた最下の胴ベルト取付部（a12）と連結することで、同乗者の乗車姿勢の安定性を保ち、脱落防止の効果を得ることができる。
【００４４】
図８は、二輪車の運転者用着座位置と同乗者用着座位置の高さが同等であり、運転者が成人男性で、同乗者が小学生から中学年程度の子供の場合を示した例であり、第２肩ベルト（b3、b4）は第１背当て部材(a1)に設けられた２番目の角カン（a7）に連結し、第２胴ベルト（b2）は第１背当て部材(a1)に設けられた３番目の胴ベルト取付部（a11）と連結し、同乗者の乗車姿勢の安定性を保ち脱落防止の効果を得ることができる。
【００４５】
図９は、二輪車の運転者用着座位置と同乗者用着座位置の高さが同等であり、運転者と同乗者の体格が同程度の場合を示した例であり、第２肩ベルト（b3、b4）は第１背当て部材(a1)に設けられた最上端の角カン（a6）に連結し、第２胴ベルト（b2）は第１背当て部材(a1)に設けられた上から３番目の胴ベルト取付部（a11）と連結して、同乗者の乗車姿勢の安定性を保ち、脱落防止の効果を得ることができる。
【００４６】
図１０は、二輪車の運転者用着座位置が同乗者用着座位置よりも低く、運転者が成人男性で同乗者が幼児の場合を示した例であり、第２肩ベルト（b3、b4）は第１背当て部材(a1)に設けられた２番目の角カン（a7）に連結し、第２胴ベルト（b2）は第１背当て部材(a1)に設けられた３番目の胴ベルト取付部（a11）と連結し、同乗者の乗車姿勢の安定性を保ち脱落防止の効果を得ることができる。
【００４７】
図１１は、二輪車の運転者用着座位置が同乗者用着座位置よりも低く、運転者と同乗者の体格が同程度の場合を示した例であり、第２肩ベルト（b3、b4）は、第１背当て部材(a1)に設けられた最上端の角カン（a6）に連結し、第２胴ベルト（b2）は第１背当て部材(a1)に設けられた２番目の胴ベルト取付部（a10）と連結することで、同乗者の乗車姿勢の安定性を保ち脱落防止の効果を得ることができる。
【符号の説明】
【００４８】
Ａ  運転者装着用部品
Ｂ  同乗者装着用部品
a1  第１背当て部材
a2  第１胴ベルト
a3  第１胴ベルト
a4  第１肩ベルト
a5  第１肩ベルト
【００４９】
a6  角カン（肩ベルト取付部）
a7  角カン（肩ベルト取付部）
a8  角カン（肩ベルト取付部）
a9  角カン（肩ベルト取付部）
a10  胴ベルト取付部
a11  胴ベルト取付部
【００５０】
a12  胴ベルト取付部
a13  第１胴ベルトバックル
a14  第１胴ベルトバックル
a15  第１胴ベルトアジャスター
a16  第１肩ベルト補助バックル
a17  第１肩ベルト補助バックル
a18  第１肩ベルトアジャスター
【００５１】
b1  第２背当て部材
b2  第２胴ベルト
b3  第２肩ベルト
b4  第２肩ベルト
b5  第２肩ベルトアジャスター
b6  第２肩ベルトアジャスター  
【００５２】
b7  第２胴ベルトバックル
b8  第２胴ベルトバックル
b9  第２胴ベルトアジャスター
20  背当てベルト部
21  縫着部
22  補助ベルト
【図１】
2011020493.tif 000003
【図２】
2011020493.tif 000004
【図３】
2011020493.tif 000005
【図４】
2011020493.tif 000006
【図５】
2011020493.tif 000007
【図６】
2011020493.tif 000008
【図７】
2011020493.tif 000009
【図８】
2011020493.tif 000010
【図９】
2011020493.tif 000011
【図１０】
2011020493.tif 000012
【図１１】
2011020493.tif 000013
【図１２】
2011020493.tif 000014
【図１３】
2011020493.tif 000015
【図１４】
2011020493.tif 000016
【図１５】
2011020493.tif 000017
【図１６】
2011020493.tif 000018
【図１７】
2011020493.tif 000019
【図１８】
2011020493.tif 000020
【図１９】
2011020493.tif 000021
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
二輪車の運転者と同乗者の各上半身間を連結し、同乗者の乗車姿勢の安定性を保ち、二輪車からの同乗者の脱落防止を図る安全ベルトであって、
運転者の背中に装着される平板状の第１背当て部材(a1)と、
その第１背当て部材(a1)の下部に接続されて、運転者の胴部回りに装着される第１胴ベルト（a2，a3）と、
その第１背当て部材(a1)の上部に接続されて、運転者の肩部回りに装着される一対の第１肩ベルト（a4，a5）と、
同乗者の胴部回りに装着されると共に、前記第１背当て部材（a1）の胴ベルト取付部に、その前端部が着脱自在に、前記第１背当て部材（a1）の幅方向へ所定の距離を有して挿通され、またはその第１背当て部材（a1）の幅方向へ所定間隔に離間して係止される第２胴ベルト（b2）と、
それぞれ同乗者の肩部回りに装着されると共に、前記胴ベルト取付部の位置より上方位置で、前記第１背当て部材（a1）の肩ベルト取付部に、その第１背当て部材（a1）の幅方向へ所定間隔に離間して、着脱自在に取付られる一対の第２肩ベルト（b3，b4）と、
前記第１背当て部材(a1)に上下方向に離間して設けられ、第２胴ベルト（b2）の前側が着脱自在に取付られる複数の前記胴ベルト取付部（a10, a11，a12）と、
前記第１背当て部材(a1)に上下方向に離間して設けられ、一対の第２肩ベルト（b3，b4）の前側が着脱自在に取付られる複数の前記肩ベルト取付部（a6，a7，a8，a9）と、を具備し、
複数の前記胴ベルト取付部（a10, a11，a12）と、複数の前記肩ベルト取付部（a6，a7，a8，a9）との中から、同乗者の第２胴ベルト（b2）および第２肩ベルト（b3，b4）の取付位置を任意に選択できるようにしたことを特徴とする二輪車二人乗り用の安全ベルト。
【請求項２】
二輪車の運転者と同乗者の各上半身間を連結し、同乗者の乗車姿勢の安定性を保ち、二輪車からの同乗者の脱落防止を図る安全ベルトであって、
運転者の背中に装着される平板状の第１背当て部材(a1)と、
その第１背当て部材(a1)の下部に接続されて、運転者の胴部回りに装着される第１胴ベルト（a2，a3）と、
その第１背当て部材(a1)の上部に接続されて、運転者の肩部回りに装着される一対の第１肩ベルト（a4，a5）と、
同乗者の胴部回りに装着されると共に、前記第１背当て部材（a1）の胴ベルト取付部に、その前端部が着脱自在に前記第１背当て部材（a1）の幅方向へ所定の距離を有して、挿通され、またはその第１背当て部材（a1）の幅方向へ所定間隔に離間して係止される第２胴ベルト（b2）と、
同乗者の肩部回りから胸前に一対のベルトが環状に連結されて、その前端中央からＹ字状に導かれ、その先端が前記胴ベルト取付部の位置より上方位置で、前記第１背当て部材（a1）の肩ベルト取付部に、着脱自在に取付られる第２肩ベルト（b3，b4）と、
前記第１背当て部材(a1)に上下方向に離間して設けられ、第２胴ベルト（b2）の前側が着脱自在に取付られる複数の前記胴ベルト取付部（a10, a11，a12）と、
前記第１背当て部材(a1)に上下方向に離間して設けられ、第２肩ベルト（b3，b4）の前側が着脱自在に取付られる複数の前記肩ベルト取付部（a6，a7，a8，a9）と、を具備し、
複数の前記胴ベルト取付部（a10, a11，a12）と、複数の前記肩ベルト取付部（a6，a7，a8，a9）との中から、同乗者の第２胴ベルト（b2）および第２肩ベルト（b3，b4）の取付位置を任意に選択できるようにしたことを特徴とする二輪車二人乗り用の安全ベルト。
【請求項３】
請求項１または請求項２において、
同乗者の背中に装着される平板状の第２背当て部材（b1）を有し、その第２背当て部材（b1）の下部に前記第２胴ベルト（b2）が接続され、その第２背当て部材（b1）の上部に一対の前記第２肩ベルト（b3，b4）が接続された二輪車二人乗り用の安全ベルト。
【請求項４】
請求項１において、
一対の前記第１肩ベルト（a4，a5）の各一端部側が延長されて、それが前記第１背当て部材(a1)の背面に上下方向に且つ、互いに平行に固定されて、一対の背当てベルト部(20)を構成し、
前記胴ベルト取付部（a10, a11，a12）は、各背当てベルト部(20)にその幅方向に貫通し、上下に離間して複数取付られたものからなり、
前記肩ベルト取付部（a6，a7，a8，a9）は、各背当てベルト部(20)にその上下方向に貫通し、上下に離間して複数取付られたものからなる二輪車二人乗り用の安全ベルト。
【請求項５】
請求項４において、
前記背当てベルト部(20)は、それぞれ一対のベルト材を重ねて上下に離間して複数、幅方向に縫着したものからなり、
前記肩ベルト取付部（a6，a7，a8，a9）は、一対のベルト材の幅方向の縫着部が上下に近接して離間した間の環状部に、その一端が幅方向に挿通固定された角カンからなり、
胴ベルト取付部（a10, a11，a12）は、隣り合う各肩ベルト取付部（a6，a7，a8，a9）間に位置し、一対のベルト材の幅方向の縫着部が上下に離間した間の部分に環状に形成されてなる二輪車二人乗り用の安全ベルト。
【請求項６】
請求項１〜請求項５のいずれかにおいて、
前記各胴ベルトおよび肩ベルトはその長さがベルトアジャスターを介して伸縮自在に調整でき、
各胴ベルトはベルトバックルを介して係脱自在に構成した二輪車二人乗り用の安全ベルト。
【請求項７】
二輪車の運転者と同乗者の各上半身間を連結し、同乗者の乗車姿勢の安定性を保ち、二輪車からの同乗者の脱落防止を図る安全ベルトであって、
運転者の背中に装着される平板状の第１背当て部材(a1)と、
その第１背当て部材(a1)の下部に接続されて、運転者の胴部回りに装着される第１胴ベルト（a2，a3）と、
その第１背当て部材(a1)の上部に接続されて、運転者の肩部回りに装着される一対の第１肩ベルト（a4，a5）と、
同乗者の背中に装着される平板状の第２背当て部材（b1）と、
その第２背当て部材（b1）の下部に接続されて、同乗者の胴部回りに装着されると共に、前記第１背当て部材（a1）の胴ベルト取付部に、その前端部が前記第１背当て部材（a1）の幅方向へ所定の距離を有して挿通され、またはその第１背当て部材（a1）の幅方向へ所定間隔に離間して係止される第２胴ベルト（b2）と、
その第２背当て部材（b1）の上部に接続されて、それぞれ同乗者の肩部回りに装着されると共に、前記胴ベルト取付部の位置より上方位置で、前記第１背当て部材（a1）の肩ベルト取付部に、その第１背当て部材（a1）の幅方向へ所定間隔に離間して、取付られる一対の第２肩ベルト（b3，b4）と、
を具備する二輪車二人乗り用の安全ベルト。
【手続補正２】
【補正対象書類名】明細書
【補正対象項目名】００１１
【補正方法】変更
【補正の内容】
【００１１】
そこで、上記目的を達成するための、
第１の本発明は、二輪車の運転者と同乗者の各上半身間を連結し、同乗者の乗車姿勢の安定性を保ち、二輪車からの同乗者の脱落防止を図る安全ベルトであって、
運転者の背中に装着される平板状の第１背当て部材(a1)と、
その第１背当て部材(a1)の下部に接続されて、運転者の胴部回りに装着される第１胴ベルト（a2，a3）と、
その第１背当て部材(a1)の上部に接続されて、運転者の肩部回りに装着される一対の第１肩ベルト（a4，a5）と、
同乗者の胴部回りに装着されると共に、前記第１背当て部材（a1）の胴ベルト取付部に、その前端部が着脱自在に、前記第１背当て部材（a1）の幅方向へ所定の距離を有して挿通され、またはその第１背当て部材（a1）の幅方向へ所定間隔に離間して係止される第２胴ベルト（b2）と、
それぞれ同乗者の肩部回りに装着されると共に、前記胴ベルト取付部の位置より上方位置で、前記第１背当て部材（a1）の肩ベルト取付部に、その第１背当て部材（a1）の幅方向へ所定間隔に離間して、着脱自在に取付られる一対の第２肩ベルト（b3，b4）と、
前記第１背当て部材(a1)に上下方向に離間して設けられ、第２胴ベルト（b2）の前側が着脱自在に取付られる複数の前記胴ベルト取付部（a10, a11，a12）と、
前記第１背当て部材(a1)に上下方向に離間して設けられ、一対の第２肩ベルト（b3，b4）の前側が着脱自在に取付られる複数の前記肩ベルト取付部（a6，a7，a8，a9）と、を具備し、
複数の前記胴ベルト取付部（a10, a11，a12）と、複数の前記肩ベルト取付部（a6，a7，a8，a9）との中から、同乗者の第２胴ベルト（b2）および第２肩ベルト（b3，b4）の取付位置を任意に選択できるようにしたことを特徴とする二輪車二人乗り用の安全ベルトである。
また、第２の発明は、二輪車の運転者と同乗者の各上半身間を連結し、同乗者の乗車姿勢の安定性を保ち、二輪車からの同乗者の脱落防止を図る安全ベルトであって、
運転者の背中に装着される平板状の第１背当て部材(a1)と、
その第１背当て部材(a1)の下部に接続されて、運転者の胴部回りに装着される第１胴ベルト（a2，a3）と、
その第１背当て部材(a1)の上部に接続されて、運転者の肩部回りに装着される一対の第１肩ベルト（a4，a5）と、
同乗者の胴部回りに装着されると共に、前記第１背当て部材（a1）の胴ベルト取付部に、その前端部が着脱自在に前記第１背当て部材（a1）の幅方向へ所定の距離を有して、挿通され、またはその第１背当て部材（a1）の幅方向へ所定間隔に離間して係止される第２胴ベルト（b2）と、
同乗者の肩部回りから胸前に一対のベルトが環状に連結されて、その前端中央からＹ字状に導かれ、その先端が前記胴ベルト取付部の位置より上方位置で、前記第１背当て部材（a1）の肩ベルト取付部に、着脱自在に取付られる第２肩ベルト（b3，b4）と、
前記第１背当て部材(a1)に上下方向に離間して設けられ、第２胴ベルト（b2）の前側が着脱自在に取付られる複数の前記胴ベルト取付部（a10, a11，a12）と、
前記第１背当て部材(a1)に上下方向に離間して設けられ、第２肩ベルト（b3，b4）の前側が着脱自在に取付られる複数の前記肩ベルト取付部（a6，a7，a8，a9）と、を具備し、
複数の前記胴ベルト取付部（a10, a11，a12）と、複数の前記肩ベルト取付部（a6，a7，a8，a9）との中から、同乗者の第２胴ベルト（b2）および第２肩ベルト（b3，b4）の取付位置を任意に選択できるようにしたことを特徴とする二輪車二人乗り用の安全ベルトである。
【手続補正３】
【補正対象書類名】明細書
【補正対象項目名】００１２
【補正方法】変更
【補正の内容】
【００１２】
上記構成において、同乗者の背中に装着される平板状の第２背当て部材（b1）を設け、その第２背当て部材（b1）の下部に前記第２胴ベルト（b2）を接続し、その第２背当て部材（b1）の上部に一対の前記第２肩ベルト（b3、b4）を接続することができる（請求項３）。
【手続補正４】
【補正対象書類名】明細書
【補正対象項目名】００１３
【補正方法】変更
【補正の内容】
【００１３】
さらに、上記構成において、一対の前記第１肩ベルト（a4，a5）の各一端部側を延長して、それが前記第１背当て部材(a1)の背面に上下方向に且つ、互いに平行に固定して、一対の背当てベルト部(20)を構成し、
前記胴ベルト取付部（a10, a11，a12）を、各背当てベルト部(20)にその幅方向に貫通し、上下に離間して複数取付たものとし、
前記肩ベルト取付部（a6，a7，a8, a9）を、各背当てベルト部(20)にその上下方向に貫通し、上下に離間して複数取付けたものとすることができる（請求項４）。
【手続補正５】
【補正対象書類名】明細書
【補正対象項目名】００１４
【補正方法】変更
【補正の内容】
【００１４】
また、上記構成において、前記背当てベルト部(20)を、それぞれ一対のベルト材を重ねて上下に離間して複数、幅方向に縫着したものとし、
前記肩ベルト取付部（a6，a7，a8，a9）を、一対のベルト材の幅方向の縫着部が上下に近接して離間した間の環状部に、角カンの一端を幅方向に挿通固定したものとし、
胴ベルト取付部（a10, a11，a12）を、隣り合う各肩ベルト取付部（a6，a7，a8，a9）間に位置し、一対のベルト材の幅方向の縫着部を上下に離間した間の部分に環状に形成することができる（請求項５）。
【手続補正６】
【補正対象書類名】明細書
【補正対象項目名】００１５
【補正方法】変更
【補正の内容】
【００１５】
さらには、前記各胴ベルトおよび肩ベルトの長さを、ベルトアジャスターを介して伸縮自在に調整でき、
各胴ベルトを、ベルトバックルを介して係脱自在に構成することがきる（請求項６）。
【手続補正７】
【補正対象書類名】明細書
【補正対象項目名】００１６
【補正方法】変更
【補正の内容】
【００１６】
また、第３の本発明は、二輪車の運転者と同乗者の各上半身間を連結し、同乗者の乗車姿勢の安定性を保ち、二輪車からの同乗者の脱落防止を図る安全ベルトであって、
運転者の背中に装着される平板状の第１背当て部材(a1)と、
その第１背当て部材(a1)の下部に接続されて、運転者の胴部回りに装着される第１胴ベルト（a2，a3）と、
その第１背当て部材(a1)の上部に接続されて、運転者の肩部回りに装着される一対の第１肩ベルト（a4，a5）と、
同乗者の背中に装着される平板状の第２背当て部材（b1）と、
その第２背当て部材（b1）の下部に接続されて、同乗者の胴部回りに装着されると共に、前記第１背当て部材（a1）の胴ベルト取付部に、その前端部が前記第１背当て部材（a1）の幅方向へ所定の距離を有して挿通され、またはその第１背当て部材（a1）の幅方向へ所定間隔に離間して係止される第２胴ベルト（b2）と、
その第２背当て部材（b1）の上部に接続されて、それぞれ同乗者の肩部回りに装着されると共に、前記胴ベルト取付部の位置より上方位置で、前記第１背当て部材（a1）の肩ベルト取付部に、その第１背当て部材（a1）の幅方向へ所定間隔に離間して、取付られる一対の第２肩ベルト（b3，b4）と、
を具備する二輪車二人乗り用の安全ベルトである。
【手続補正８】
【補正対象書類名】明細書
【補正対象項目名】００１７
【補正方法】変更
【補正の内容】
【００１７】
第１の本発明は、運転者の背中に装着される第１背当て部材(a1)に、上下に離間して複数の胴ベルト取付部及び複数の肩ベルト取付部を有し、それら複数の各取付部の中から任意に選択して、同乗者の第２胴ベルト及び第２肩ベルトを取り付けることができるので、運転者と同乗者の体格差があったり、二輪車の運転者用着座位置と同乗者用着座位置の高低差が存在しても、それらに影響されることなく、同乗者の乗車姿勢の安定性を保ち、同乗者の脱落を防ぐ安全な二輪車の二人乗り用の安全ベルト提供できる。
特に、胴ベルト取付部及び肩ベルト取付部は、運転者の背中に装着される安定した平板状の第１背当て部材に設けられるので、同乗者と運転者とが一体化されて、同乗者の安定性がよく、脱落防止の効果を確保し得る。これは、運転者の背中の第１背当て部材を介して、上下左右に離間した四点で同乗者の第２胴ベルトおよび、第２肩ベルトが着脱自在に接続されているからである。
また、請求項２に記載の第２の本発明では、運転者の背中の第１背当て部材を介して、互いに三角に離間した三点で同乗者の第２胴ベルトおよび、第２肩ベルトが着脱自在に接続されているので、第１発明同様に同乗者と運転者とが一体化されて、同乗者の安定性がよく、脱落防止の効果を確保し得る。
【手続補正９】
【補正対象書類名】明細書
【補正対象項目名】００１８
【補正方法】変更
【補正の内容】
【００１８】
上記構成において、請求項３に記載のように、同乗者の背中にも平板状の第２背当て部材を設けた場合には、さらに同乗者の姿勢の安定性に寄与できる。
また、請求項４に記載のように運転者の一対の第１肩ベルトの一方側を延長して、それを運転者の第１背当て部材の背面に上下方向に固定し、それに胴ベルト取付部，肩ベルト取付部を夫々設けた場合には、各取付部に充分なる強度を持たせ、より安全性を確保し得る。
【手続補正１０】
【補正対象書類名】明細書
【補正対象項目名】００１９
【補正方法】変更
【補正の内容】
【００１９】
上記構成において、請求項５に記載のように、背当てベルト部(20)を二重のベルト材で形成し、部分的に縫着して肩ベルト取付部，胴ベルト取付部を環状に形成した場合には、構造が簡単でより安全なベルトを提供できる。
上記構成において、請求項６に記載のように、各胴ベルトおよび肩ベルトに長さ調整用のベルトアジャスターを設け且つ、胴ベルトがベルトバックルを介して係脱自在に構成された場合には、ベルト長さの調整が容易であると共に、その着脱が容易な取扱性の良い安全ベルトとなり得る。
【手続補正１１】
【補正対象書類名】明細書
【補正対象項目名】００２０
【補正方法】変更
【補正の内容】
【００２０】
次に、請求項７に記載の第３の本発明は、運転者の背中に安定して取付けられる、平板状の第１背当て部材と、同乗者の背中に同様に安定して取付けられる平板状の第２背当て部材とが、第２胴ベルトと一対の第２肩ベルトとで接続されるため、同乗者の姿勢を安定に保つことができる。